(57)【特許請求の範囲】
【請求項１】
光源と、前記光源が固定される光源側反射板と、前記光源側反射板に対向する放射側反射板と、前記光源側反射板と前記放射側反射板を固定する固定手段を有する光源装置において、
前記光源は単数又は複数の発光ダイオードからなり、
前記放射側反射手段は、前記光源の直上部に中央部及び周辺部が設けられた中央光導通反射部、中央光導通反射部の外周囲に外方光導通反射部を有し、
前記中央部には、他の部分よりも光透過率を上げ、光反射率を下げるよう板厚を調整するハーフ溝が形成され、
前記周辺部には、前記光源からの光を透過させる多数の小孔が設けられ、
前記外方光導通反射部には前記中央光導通反射部から外方へ離れるにしたがって徐々に大きくなる、前記中央部で反射された前記光源からの光を導通する導通孔が設けられ、
前記光源側反射板と前記放射側反射板は、その距離が前記光源の配置された部分で最も大きく、前記光源の配置された部分から遠ざかるにつれて小さくなっていくようにされていることを特徴とする光源装置。
【請求項２】
前記固定手段は前記光源側反射板と前記放射側反射板の外縁部に設けられた所定の高さを有する柱状体であり、前記光源側反射板と前記放射側反射板は前記固定手段によって間隙を開けて固定されていることを特徴とする請求項1に記載の光源装置。
【請求項３】
前記固定手段は前記光源側反射板と前記放射側反射板の外縁部に間隙を設けずに前記光源側反射板と前記放射側反射板を固定する部材であることを特徴とする請求項１に記載の光源装置。
【請求項４】
前記放射側反射板の光出射面側に、前記放射側反射板と所定の間隙をあけて、光拡散板が設けられていることを特徴とする請求項１に記載の光源装置。
【請求項５】
前記光源は複数の発光ダイオードを帯状又は環状に並べたものであることを特徴とする請求項１に記載の光源装置。
【発明の詳細な説明】
【技術分野】
【０００１】
本発明は、照明装置に関し、さらに詳しくは、光源に発光ダイオードを用いて、薄型でありながら光照射面を略均一に照明することができる照明装置に関する。
【背景技術】
【０００２】
近年、発光ダイオード（以下、「ＬＥＤ」という）の研究、開発が急速に進み、様々なタイプのＬＥＤが開発・製品化され、幅広い分野で使用されている。ＬＥＤはその低消費電力、長寿命、小型といった特徴より、従来多くは電子機器等の動作表示灯として用いられてきた。これらのＬＥＤは、例えば液晶パネル用バックライト、各種の表示板、電光掲示板、電飾装置などにおいても使用されてきているが、照明分野においても使用されるようになってきている。この照明分野では、例えば、自動車用ヘッドライトないしテールライト、複数のＬＥＤを組み込んだ電球状照明装置や面状照明装置、管内にＬＥＤを組み込んで蛍光灯と同様に使用し得るようにした照明装置等に使用されている。
【０００３】
しかし、室内用照明装置等に使用される面状光源としては、均一に発光する面状光源が要求されるが、ＬＥＤは光の指向性が強いため、そのままでは室内用照明装置等に使用するには適していない。そのため、ＬＥＤを光源として用いた、面状の均一な照度分布の照明光を得るための従来の光源装置としては、光の放射面に反射手段を設けて光を多重反射させたものが知られている（下記特許文献１及び２参照）。また、ＬＥＤの指向性の強い光が直接目に入ると、グレア（glare）と呼ばれる不快なまぶしさが生じる。このグレアを防止するため、光源から放射された光が少なくとも１回は光源装置内または光源装置の放射面に設けられた反射手段の開口の側壁で反射されてから開口を通過するように設計された光源装置が知られている（下記特許文献３参照）。
【０００４】
下記特許文献３に記載の光源装置においては、ケーシング又はハウジングと呼ばれる箱組立体の底部に点光源が設けられ、ケーシングの開口部、すなわち点光源と対向する面に反射手段が設けられて、点光源からの指向性の強い光を多重反射させて均一化して放射するようにしている。
【先行技術文献】
【特許文献】
【０００５】
【特許文献１】特開２００６−０１２８１８号公報
【特許文献２】特開２００９−０１６０９３号公報
【特許文献３】特開２００９−００４２４８号公報（段落〔００２３〕、〔００２８〕〜〔００３９〕、図１Ａ）
【発明の概要】
【発明が解決しようとする課題】
【０００６】
ＬＥＤは従来から光源として用いられてきた蛍光灯などに比べて小型であるため、照明装置においても小型化、特に薄型化が進みつつある。上記特許文献１〜３に開示されている光源装置においては、いずれも底部及び側壁部を有する箱型のケーシングが使用され、光源装置全体の形状も箱型となっている。このような構造は複数連接するユニットとして使用することに適しているが、光源装置を単独で使用する場合には、所定の高さを有する側壁部を有するため、薄型化には限界がある。
【０００７】
また、上記特許文献１〜３に開示されている光源装置においては、ＬＥＤの光放射方向に配置された反射板と、ＬＥＤが固定された底部、さらに側壁部との多重反射によって点光源の光を面状に広げるとともに、光照射面から照射される光を均一化している。しかし、照明装置を薄型にすると、光源装置のＬＥＤと反射手段との距離が小さくなり、反射手段の素材によっては、ＬＥＤの直上にある反射手段によってＬＥＤからの特定の波長が多く吸収されることにより、周囲の部分に対して色むらが発生する。このため、ＬＥＤと反射手段との距離を狭くすることには限界がある。
【０００８】
そこで、本発明においては、光源に発光ダイオードを用いて、光照射面を略均一に照明しながら、より薄型にすることができる照明装置を提供することを目的とする。
【課題を解決するための手段】
【０００９】
本発明の第１の態様の照明装置は、光源と、前記光源が固定される光源側反射板と、前記光源側反射板に対向する放射側反射板と、前記光源側反射板と前記放射側反射板を固定する固定手段を有する光源装置において、前記光源は単数又は複数の発光ダイオードからなり、前記放射側反射手段は、前記光源の直上部に中央部及び周辺部が設けられた中央光導通反射部、中央光導通反射部の外周囲に外方光導通反射部を有し、前記中央部には、他の部分よりも光透過率を上げ、光反射率を下げるよう板厚を調整するハーフ溝が形成され、前記周辺部には、前記光源からの光を透過させる多数の小孔が設けられ、前記外方光導通反射部には前記中央光導通反射部から外方へ離れるにしたがって徐々に大きくなる、前記中央部で反射された前記光源からの光を導通する導通孔が設けられ、前記光源側反射板と前記放射側反射板は、その距離が前記光源の配置された部分で最も大きく、前記光源の配置された部分から遠ざかるにつれて小さくなっていくようにされていることを特徴とする。
【００１０】
本発明の第1の態様の照明装置によると、光源にＬＥＤを用いても、放射側反射板の光源に対向する部分の光反射率が最も高くかつ光透過率が最も低く、前記光源から遠ざかるにつれて光反射率が低く、光透過率が高くなるように形成されているため、放射側反射板の全面から均一な照明光を得ることができる。さらに、光源側反射板と放射側反射板間の距離が光源の配置された部分で最も大きくなっているため、色むらが発生し難い一方で、光源側反射板と放射側反射板間の距離は光源の配置された部分から遠ざかるにつれて小さくなっていき、照明装置の周縁部で最も小さくなることから、視覚的により薄さを感じさせることができる。
【００１１】
また、本発明の第２の態様の照明装置は、第１の態様の照明装置において、前記固定手段は前記光源側反射板と前記放射側反射板の外縁部に設けられた所定の高さを有する柱状体であり、前記光源側反射板と前記放射側反射板は前記固定手段によって間隙を開けて固定されていることを特徴とする。
【００１２】
本発明の第２の態様の照明装置によると、照明装置の外縁部において、光源側反射板と放射側反射板との間に設けられた間隙からも光源からの出射光が出射されるため、外縁部が暗くなり難く、より均一な照明光を得ることができる。
【００１３】
また、本発明の第３の態様の照明装置は、第１の態様の照明装置において、前記固定手段は前記光源側反射板と前記放射側反射板の外縁部に間隙を設けずに前記光源側反射板と前記放射側反射板を固定する部材であることを特徴とする。
【００１４】
本発明の第３の態様の照明装置によると、光源側反射板と放射側反射板との間には間隙を設けずに固定されているため、照明装置の外縁部においてより薄さを感じさせる照明装置を得ることができる。
【００１５】
また、本発明の照明装置においては、第１の態様の照明装置において、前記放射側反射板の光出射面側に、前記放射側反射板と所定の間隙をあけて、光拡散板が設けられていることが好ましい。
【００１６】
本発明の照明装置においては、放射側反射板が剥き出しのままであっても、上述の所定の作用・効果を奏することができる。しかしながら、光散乱作用を有する拡散板を用いることによって、より均一な照度分布の照明光を得ることができる。
【００１７】
本発明の照明装置においては、第１の態様の照明装置において、前記光源は複数の発光ダイオードを帯状又は環状に並べたものであることが好ましい。
【００１８】
ＬＥＤは指向性が強く、発光強度が強い周知の点光源であるが、本発明の照明装置によれば、発光ダイオードを帯状又は環状に並べたものを用いることにより、サイズが大きくてもより明るい照明装置が得られる。
【図面の簡単な説明】
【００１９】
【図１】図１Ａは本発明の第１の実施形態に係る照明装置の斜視図、図１Ｂは図１ＡのＩＢ−ＩＢ線に沿った断面図である。
【図２】図１Ａの照明装置の分解斜視図である。
【図３】図１Ａの照明装置の放射側反射板の平面図である。
【図４】図３の放射側反射板の展開図である。
【図５】図５Ａは本発明の第２の実施形態に係る照明装置の斜視図、図５Ｂは図５ＡのＶＢ−ＶＢ線に沿った断面図である。
【図６】図５Ａの照明装置の分解斜視図である。
【図７】本発明の第３の実施形態に係る光源装置の斜視図である。
【図８】図７の光源装置の分解斜視図である。
【図９】図８の光源装置の放射側反射板の平面図である。
【図１０】本発明の第３の実施形態に係る光源装置の変形例の分解斜視図である。
【図１１】図１１の光源装置の放射側反射板の平面図である。
【図１２】本発明の第３の実施形態に係る光源装置の別の変形例の分解斜視図である。
【図１３】図１２の光源装置の放射側反射板の平面図である。
【発明を実施するための形態】
【００２０】
以下、図面を参照して本発明の各実施形態を説明する。但し、以下に示す実施形態は、本発明の技術思想を具体化するための光源装置、照明装置及び表示装置を例示するものであって、本発明をこれらの光源装置、照明装置及び表示装置に特定することを意図するものではなく、特許請求の範囲に含まれるその他の実施形態のものにも等しく適応し得るものである。
【００２１】
［第１の実施形態］
本発明の第１の実施形態に係る照明装置について、図１〜図４を用いて説明する。なお、図１Ａは本発明の第１の実施形態に係る照明装置の斜視図、図１Ｂは図１ＡのＩＢ−ＩＢ線に沿った断面図、図２は図１Ａの照明装置の分解斜視図、図３は図１Ａの照明装置の放射側反射板の平面図、図４は図３の放射側反射板の展開図である。
【００２２】
第１の実施形態に係る照明装置１は、図１、図２に示すように、平板状の枠体２と、枠体２に固定された光源装置４と、枠体２及び光源装置４を覆うように取り付けられたドーム状の拡散板３と、を備えている。
【００２３】
枠体２は金属板材もしくは合成樹脂成形体で形成され、第１の実施形態においては円板状となっている。枠体２には、光源装置４および光源装置４に配置される光源５に接続される基板（図示省略）などが配置され、光源装置４は所定の間隙をあけて拡散板３によって覆われている。本発明の光源装置４においては単独で用いても均一な照明光を得ることができるが、光散乱作用を有する拡散板を用いることによって、光源装置４を外部からの衝撃から守ることができるとともに、より均一な照度分布の照明光を得ることができる。
【００２４】
光源装置４は、図１〜図３に示すように、ＬＥＤからなる光源５と、光源５が中央部に固定された平板状の光源側反射板６と、光源側反射板６に対向して配置された放射側反射板７を備えている。光源５は枠体２に固定された図示を省略する基板に固定され、さらに外部の電源等に接続されている。光源５は第１の実施形態においては一つの発光素子あるいは複数の発光素子を有するＬＥＤであり、点光源となっている。
【００２５】
光源側反射板６の中央には光源５を設置するための装着孔６ａが設けられている。なお、光源側反射板６は、光源装置４の設置状態によっては天井面となることもあり、また側壁面となることもある。光源側反射板６は、光源５が配置される面が高い光反射率を有する超微細発泡光反射部材等の材料で形成されており、放射側反射板７によって反射された光源５からの反射光を高い光反射率で多重反射し、効率よく利用することができる。
【００２６】
光源側反射板６の周縁部付近には、所定間隔で放射側反射板７を固定するための固定部材１０が設けられている。固定部材１０は、光源側反射板６に垂直に取り付けられた板状体からなり、頂部が放射側反射部を係止するための係止爪となっており、この係止爪を放射側反射板７に設けられた係止孔７ａに係止することにより、光源側反射板６に放射側反射板７を固定することができる。
【００２７】
第１の実施形態においては、放射側反射板７は、円錐の頂部を底部に平行な平面で切り取った形状、すなわち円錐台形となっており、その底部は開口となっている（図１参照）。すなわち、光源側反射板６と放射側反射板７との間の距離が光源５の配置された部分で最も大きく、光源５から遠ざかるにつれて小さくなっていき、照明装置１の周縁部で最も小さくなっており、光源側反射板６と放射側反射板７の端部には間隙Ｇが設けられている。第１の実施形態においては、光源５と放射側反射板７との距離は例えば５ｍｍ、光源側反射板６と放射側反射板７の端部における距離、すなわちＧは例えば２ｍｍとなっている。
【００２８】
第１の実施形態の放射側反射板７は図４に示すように、円板状の超微細発泡光反射部材の一部を扇形状に切除し、切除された部分の辺７ｂ、７ｃを合わせて接着剤等で固定することにより、円錐台形に形成されている。なお、放射側反射板７の形状は円錐台形に限らず、光源側反射板６と放射側反射板７との間の距離が光源の配置された部分で最も大きく、光源５から遠ざかるにつれて小さくなるような形状であればよく、例えば底面の形状が多角形である角錐台や球の一部などでもよい。放射側反射板７の形状の違いにより、放射側反射板７と光源側反射板６との多重反射の程度が異なるが、後述の放射側反射板７の光反射率及び光透過率を調整することによって、放射側反射板７の全面から均一な照明光を出射することが可能である。
【００２９】
放射側反射板７は、高い光反射率と低い光透過率を有する超微細発泡光反射部材等の材料で形成される。これにより、光源５からの光を高い光反射率で光源側反射板６に反射して効率よく利用することができ、また光源５の真上部分においても一定の光が透過するので、ＬＥＤの真上部分が暗くなりすぎることがない。また、超微細発泡光反射部材は軽量であるため、照明装置１を大型化しても、照明装置１の重量を抑えることができる。さらに、超微細発泡光反射部材は容易に入手可能であり、比較的安価であることから、大型の照明装置１を作成する場合にもコストを抑えることができる。
【００３０】
この放射側反射板７は、図３に示すように、光源５の直上部に中央光導通反射部８、中央光導通反射部８の外周囲に外方光導通反射部９が設けられている。中央光導通反射部８は円錐台形の放射側反射板７の頂上部にあたる。中央光導通反射部８の中央部、すなわち光源５の直上部分には中央部８ａが設けられている。中央部８ａは高光反射率かつ低光透過率に形成されており、光源５から放射される強い光を反射し、さらにその反射光が光源側反射板６に反射し、その一部が再び放射側反射板７によって多重反射するようになっている。
【００３１】
中央部８ａの光反射率は、光学反射板材の選択、この材料の加工（例えばハーフ溝の形成、板厚の調整）によって適宜設定され、これによって、光を効率よく利用することができるようになる。中央部８ａの周辺すなわち外方光導通反射部９との境界部に周辺部８ｂが設けられている。周辺部８ｂには小孔が設けられ、中央部８ａに次いで光反射率を高くする一方で、一部の光を透過させるように設計されている。なお、この小孔はスリット、細溝などに換えてもよい。
【００３２】
外方光導通反射部９には、円形の導通孔９ａが所定間隔で形成されている。導通孔９ａの大きさは前記中央光導通反射部８から外方へ離れるにしたがって徐々に大きくなる。すなわち、光源５から遠ざかるにつれて光反射率が低く、光透過率が高くなるように形成されている。なお、この導通孔９ａは矩形、三角形などの多角形、星形など、種々の形状をとることができる。また、導通孔９ａの代わりに、同心状の環状ないし方形状のスリットを設け、中央光導通反射部８から外方へ離れるほどその幅長が増加するようにしてもよい。
【００３３】
以上のように、光源側反射板６と放射側反射板７の間で光源５からの放射される光が多重反射し、一部が放射側反射部７から透過することにより、放射側反射板７の全面から均一な照明光を得ることができる。しかし、光源装置４を薄型化し、ＬＥＤからなる光源５と放射側反射板との距離が例えば３ｍｍ未満と小さくなると、放射側反射板７の光源５に対向する部分にあたる光がより強くなる。この場合、放射側反射板の素材によっては、光源５の直上にある反射手段によって光源５からの特定の波長が多く吸収されることにより、周囲の部分に対して色むらが発生する。
【００３４】
この色むらを防ぐため、本発明においては光源側反射板６と放射側反射板７の距離が光源５の配置された部分で最も大きくなるようにしている。一方で、光源側反射板６と放射側反射板間７の距離は光源５の配置された部分から遠ざかるにつれて小さくなっていき、照明装置１の周縁部で最も小さくなることから、視覚的により薄さを感じさせることができる。さらに、光源側反射板６と放射側反射板７との間に設けられた間隙からも光源からの出射光が出射されるため、外縁部が暗くなり難く、より均一な照明光を得ることができる。
【００３５】
なお、第１の実施形態においては、光源側反射板６及び枠体２を平板状とすることで、照明装置１を壁面などの平面上に密着して取り付けることが容易となっている。しかし、照明装置１を配置する場所によっては、光源側反射板６と放射側反射板７の距離が光源の配置された部分で最も大きく、そこから遠ざかるにつれて小さくなるような構成であれば、放射側反射板７のみならず、光源側反射板６をも円錐台形、角錐台形あるいは球の一部のような形状にすることもできる。
【００３６】
さらに、透明板などの光導通部材に、印刷や蒸着等により反射部を設けたフィルムを貼付することによって放射側反射板７を形成してもよい。このとき、中央光導通反射部の周辺部及び外方光導通反射部には、導通孔及びスリットの代わりに反射ドットを設け、光反射率及び光透過率を適切な値に設定する。反射ドットのパターンは、前記導通孔のパターンと同様のものの他、任意のパターンをとることができる。また、反射ドットの形状は前記導通孔と同様に、円形や方形、その他の形状を取ることが可能である。
【００３７】
印刷や蒸着等によって放射側反射板や光源側反射板を形成すると、既存の設備を利用して製造することができるようになり、また平板状の放射側反射板等の他、曲面を有する放射側反射板等を製造することが容易になる。すなわち、第１の実施形態の放射側反射板のような円錐台形のほか、球の一部のような形状の放射側反射板等を容易に製造することができる。さらに、放射側反射板等の量産が容易になることから、放射側反射板や光源側反射板を大量に生産する際の費用を抑えることができる。
【００３８】
［第２の実施形態］
本発明の第２の実施形態に係る照明装置について、図５、図６を用いて説明する。なお、図５Ａは本発明の第２の実施形態に係る照明装置の斜視図、図５Ｂは図５ＡのＶＢ−ＶＢ線における断面図、図６は図５Ａの照明装置の分解斜視図である。
【００３９】
第２の実施形態に係る照明装置１Ａは、第１の実施形態に係る照明装置１と一部の構成が異なり、他の部分は共通しているので、共通する部分においては同じ参照符号に添え字「Ａ」を付与し、その詳細な説明は省略する。この照明装置１Ａは、図５、図６に示すように、第１の実施形態に係る照明装置１の枠体を省略し、光源装置４Ａと、光源装置４Ａを覆うように取り付けられた平板状の拡散板３Ａと、を備えている。
【００４０】
光源装置４Ａは、光源５Ａと、光源５Ａが中央部に固定された、開口を有するボウル状の光源側反射板６Ａと、光源側反射板６Ａの開口を塞ぐように配置された平板状の放射側反射板７Ａを備えている。本実施形態においては、光源５Ａとして第１実施形態の光源５と同様の構成のものを使用でき、また光源側反射板６Ａは第１の実施形態に係る照明装置の枠体の役割を兼ねており、放射側反射板７Ａのさらに外方の光源側反射板６Ａの開口に、放射側反射板７Ａとの間に間隙をあけて平板状の拡散板３Ａが直接取り付けられている。また、拡散板３Ａの端部には図５Ｂに示すように光源装置４Ａ側が内側に丸められて固定部１１が形成されており、外方に丸められた光源側反射板６Ａの開口端部６ｂに係止されて固定される。すなわち、拡散板３Ａは光源側反射板６Ａに放射側反射板７Ａを固定する固定手段としての機能も有している。
【００４１】
第２の実施形態においては、放射側反射板７Ａは平面となっているが、光源側反射板６Ａがボウル状となっているため、光源側反射板６Ａと放射側反射板７Ａとの間の距離が光源５Ａの配置された部分で最も大きく、光源５Ａから遠ざかるにつれて小さくなっていき、照明装置１Ａの周縁部では０となっている。なお、本発明の光源側反射板６Ａはボウル形となっているが、円錐台形、多角形である角錐台や球の一部などでもよい。
【００４２】
放射側反射板７Ａは、その形状が平面であること及び光源側反射板６Ａに固定されるための係止孔を有さないこと以外は第１の実施形態の光源装置１の放射側反射板７と同様の構成となっている。なお、第２の実施形態では放射側反射板７Ａは拡散板３Ａによって光源側反射板６Ａに固定されているが、第１の実施形態と同様の、あるいはその他の周知の固定手段によって光源側反射板６Ａに固定されてもよい。また、光源装置４Ａの外方に第１の実施形態と同様の枠体を設けてもよい。
【００４３】
第２の実施形態の照明装置１Ａにおいては、光源側反射板６Ａと放射側反射板７Ａとの間には間隙を設けずに固定されているため、照明装置１Ａの外縁部においてより薄さを感じさせる照明装置１Ａを得ることができる。また、光源側反射板６Ａをボウル形とし、放射側反射板を平面状としたことから、天井や壁などに埋め込んで配置する際に、照明装置１Ａの外観を平面状とすることができるとともに、埋め込むスペースもより薄くすることができる。さらに、枠体を省略し、光源側反射板６Ａに拡散板３Ａを直接固定することにより、部品点数を減らすことができる。
【００４４】
［第３の実施形態］
本発明の第３の実施形態に係る光源装置について、図７〜図９を用いて説明する。なお、図７は本発明の第３の実施形態に係る光源装置の斜視図、図８は図７の光源装置の分解斜視図、図９は図８の光源装置の放射側反射板の平面図である。なお、図７〜図９においては照明装置の拡散板及び枠体が省略されている。
【００４５】
本発明の第３の実施形態にかかる照明装置１Ｂは、第１の実施形態に係る照明装置１の光源装置４と形状及び光源５Ｂの配置が異なり、他の部分は共通しているので、共通する部分においては図示を省略、または同じ参照符号に添え字「Ｂ」を付与し、その詳細な説明は省略する。
【００４６】
第３の実施形態にかかる照明装置１Ｂの光源装置４Ｂは、図７〜図９に示すように、所定の長さを有する２つの光源５Ｂと、光源５Ｂが固定された楕円形の平板状の光源側反射板６Ｂと、光源側反射板６Ｂに対向して配置された楕円円錐台形の放射側反射板７Ｂを備えている。光源５Ｂは第３の実施形態においては複数のＬＥＤを線状に並べたものとなっている。
【００４７】
放射側反射板７Ｂは、第１の実施形態同様の円錐台形となっているが、光源５Ｂの形状に合わせて、底部及び頂部は楕円形となっている。２つの光源５Ｂの上方にはそれぞれの光源５Ｂに対応した２つの中央光導通反射部８Ｂが設けられており、その周辺部には外方光導通反射部９Ｂが設けられている。中央光導通反射部８Ｂの中央部、すなわち光源５Ｂの直上部分には光源５Ｂに対応した長さを有する中央部８Ｂａが設けられ、中央部８Ｂａの周辺すなわち外方光導通反射部９Ｂとの境界部に周辺部８Ｂｂが設けられている。光源側反射板６Ｂと放射側反射板７Ｂとの間の距離は中央光導通反射部８Ｂで最も大きく、光源から遠ざかるにつれて小さくなっていき、照明装置の周縁部で最も小さくなっており、光源側反射板６と放射側反射板７の端部には間隙が設けられている。なお、２つの中央光導通反射部８Ｂの間に挟まれた部分では、照明装置の外観上の厚さへの影響が小さいため、光源側反射板６Ｂと放射側反射板７Ｂの距離は中央光導通反射部８Ｂにおける光源側反射板６Ｂとの距離と等しくされている。
【００４８】
また、外方光導通反射部９Ｂに設けられている導通孔９Ｂａの開口パターンは、２つの中央光導通反射部８Ｂから外方へ離れるにしたがって徐々に導通孔９Ｂａの面積が大きくなるものを並べたものとなっている。
【００４９】
なお、第３の実施形態に係る照明装置１Ｂにおいては複数のＬＥＤが線状に並べられているが、この配置は線状に限られることなく、複数のＬＥＤを環状や矩形状など種々の形状に配置することができる。この場合には、それぞれの配置に応じて、中央光導通反射部の面積および光反射率、光透過率が調整されることとなる。
【００５０】
本発明の第３の実施形態に係る光源装置１Ｂの変形例について、図１０〜図１３を用いて説明する。なお、図１０は本発明の第３の実施形態に係る光源装置の変形例の分解斜視図、図１１は図１０の光源装置の放射側反射板の平面図、図１２は本発明の第３の実施形態に係る光源装置の別の変形例の分解斜視図、図１３は図１２の光源装置の放射側反射板の平面図である。
【００５１】
第３の実施形態に係る第１の変形例の光源装置４Ｃにおいては、光源５Ｃが楕円形の光源側反射板６Ｃの２カ所に所定間隔で配置されている（図１０参照）。この場合には、２つの光源５Ｃの直上部にそれぞれ中央光導通反射部８Ｃが設けられ、中央部８Ｃａおよび周辺部８Ｃｂからなる中央光導通反射部８Ｃの外周囲に外方光導通反射部９Ｃが設けられている。すなわち、２つの中央光導通反射部８Ｃの中央部８Ｃａから外方へ離れるにしたがって徐々に導通孔９Ｃａが大きくなる開口パターンを並べたものとなっている（図１１参照）。
【００５２】
また、第３の実施形態に係る第２の変形例の光源装置４Ｄにおいては、所定間隔で線状に並べられた６個の光源５Ｄが楕円形の光源側反射板６Ｄの長軸の中央部に配置されている（図１２参照）。この場合には、各光源５Ｄ間の距離が小さいことから、これらの光源５Ｄは線状の光源と見なすことができる。この光源５Ｄの直上部に仮想の線状光源に対応する長さを有する中央光導通反射部８Ｄが設けられ、中央光導通反射部８Ｄの外周囲に外方光導通反射部９Ｄが設けられている（図１３参照）。
【００５３】
以上の変形例のように、発光強度が強い周知の点光源であるＬＥＤを複数配置する、あるいは帯状又は環状に並べられたＬＥＤを用いることにより、サイズが大きくてもより明るい光源装置が得られる。それぞれの配置に応じて、中央光導通反射部の面積および光反射率、光透過率が調整されることにより、より明るく、しかも均一な照明光を得ることができる。
【符号の説明】
【００５４】
１、１Ａ、１Ｂ、１Ｃ、１Ｄ…照明装置
２、２Ａ…枠体
３、３Ａ…拡散板
４、４Ａ、４Ｂ、４Ｃ、４Ｄ…光源装置
５、５Ａ、５Ｂ、５Ｃ、５Ｄ…光源
６、６Ａ、６Ｂ、６Ｃ、６Ｄ…光源側反射板
６ａ…装着孔
６ｂ…開口端部
７、７Ａ、７Ｂ、７Ｃ、７Ｄ…放射側反射板
７ａ…係止孔
８、８Ｃ、８Ｄ…中央光導通反射部
８ａ…中央部
８ｂ…周辺部
９、９Ｃ、９Ｄ…外方光導通反射部
９ａ…導通孔
１０…固定部材
１１…固定部
【図１】
0005842274.tif 000002
【図２】
0005842274.tif 000003
【図３】
0005842274.tif 000004
【図４】
0005842274.tif 000005
【図５】
0005842274.tif 000006
【図６】
0005842274.tif 000007
【図７】
0005842274.tif 000008
【図８】
0005842274.tif 000009
【図９】
0005842274.tif 000010
【図１０】
0005842274.tif 000011
【図１１】
0005842274.tif 000012
【図１２】
0005842274.tif 000013
【図１３】
0005842274.tif 000014